(57)【要約】【課題】パソコンにより家電機能を整合する装置及び方法を提供する。【解決手段】パソコンにより家電機能を整合する装置及び方法であって、整合性キーボード、コンピューターホスト及びキーボードエンコーダーを備える。整合型キーボードは、パソコン機能ホットキー及び家電機能ホットキーを備え、パソコン機能及び家電機能を提供する。コンピューターホストは、スペシャルＢＩＯＳ及び家電応用プログラムを備え、家電モードの下の起動機能及び家電モードの下の家電機能を実行するのに用いられる。キーボードエンコーダーは、キーと対応するキーコードを生成するのに用いられる。【選択図】        図１
2004164537.tif 000002
【特許請求の範囲】
【請求項１】
パソコンにより家電機能を整合する装置であって、
ユーザーがキーを押した後、パソコンモードに進入すると共に、パソコン機能を提供するのに用いられるパソコン機能ホットキーと、ユーザーがキーを押した後、家電モードに進入すると共に、家電機能を提供するのに用いられる複数の家電機能ホットキーと、を備える整合型キーボードと、
家電モードの下の起動機能を実行するのに用いられるスペシャルＢＩＯＳと、家電モードの下の家電機能を実行する複数の家電応用プログラムと、を備えるコンピューターホストと、
前記コンピューターホスト及び前記整合型キーボードに接続され、ユーザーが前記整合型キーボードでキーを押した後、ユーザーが押したキーに対応するキーコードを生成し、前記キーコードを前記コンピューターホストに伝送するのに用いられるキーボードエンコーダーと、
からなることを特徴とする装置方法。
【請求項２】
前記整合型キーボードにおいて、前記家電機能ホットキーは、特殊設計をキーボード上に付加したキーのことを指すことを特徴とする請求項１に記載の装置。
【請求項３】
前記整合型キーボードにおいて、前記家電機能ホットキーは、キーボード上のキーを、家電機能を備えるホットキーとして設定したものを指すことを特徴とする請求項２に記載の装置。
【請求項４】
前記コンピューターホストにおいて、前記家電応用プログラムは、前記キーボードエンコーダーが受信するユーザーが押したキーに従って、対応する家電機能を実行することを特徴とする請求項１に記載の装置。
【請求項５】
前記コンピューターホストにおいて、前記家電応用プログラムは、コンピューターが実行できるプログラム言語により完成されることを特徴とする請求項４に記載の装置。
【請求項６】
パソコンを家電機能に整合させる方法であって、
パソコン機能ホットキー及び複数の家電機能ホットキーを備え、ユーザーにキーを提供する整合型キーボードと、スペシャルＢＩＯＳ及び複数の家電応用プログラムを備え、パソコン機能及び家電機能を実行するコンピューターホストと、前記コンピューターホスト及び前記整合型キーボードに接続され、ユーザーが前記整合型キーボードのキーを押した後、ユーザーが押したキーに対応するキーコードを生成するキーボードエンコーダーと、を提供する工程と、
ユーザーが、前記コンピューターホストがオフ或いは待機モード下で、前記整合型キーボード中のホットキーを押すと共に、前記コンピューターホストを起動させる工程と、
前記キーボードエンコーダーは、ユーザーが前記整合型キーボードのキーを押した後、前記ホットキーと対応するキーコードを生成して、前記キーコードを前記コンピューターホストに伝送する工程と、
前記コンピューターホストは前記キーコードに従って、前記ホットキーが前記パソコン機能ホットキーなのか、前記家電機能ホットキーなのかを判断する工程と、
前記ホットキーが前記パソコン機能ホットキーである時、前記コンピューターホストは、パソコンモードに進入して、パソコン機能を実行する工程と、
前記ホットキーが前記家電機能ホットキーである時、前記コンピューターホストは、家電モードに進入して、前記コンピューターホスト中の前記家電応用プログラムをコールして家電機能を実行する工程と、
からなることを特徴とする方法。
【請求項７】
前記整合型キーボードにおいて、前記家電機能ホットキーは、特殊設計をキーボード上に付加したキーのことを指すことを特徴とする請求項６に記載の方法。
【請求項８】
前記整合型キーボードにおいて、前記家電機能ホットキーは、キーボード上のキーを、家電機能を備えるホットキーとして設定したものを指すことを特徴とする請求項６に記載の方法。
【請求項９】
前記コンピューターホストにおいて、前記家電応用プログラムは、前記キーボードエンコーダーが受信したユーザーが押したキーに従って、対応する家電機能を実行することを特徴とする請求項６に記載の方法。
【請求項１０】
前記コンピューターホストにおいて、前記家電応用プログラムは、コンピューターが実行できるプログラム言語により完成されることを特徴とする請求項６に記載の方法。
【発明の詳細な説明】
【０００１】
【発明の属する技術分野】
本発明は、パソコン整合機能の技術に関するもので、特に、パソコンにより家電機能を整合する装置及び方法に関するものである。
【０００２】
【従来の技術】
パソコンは、これまでの発展で、すでに様々な機能を備える。例えば、パソコンの運算機能、パソコンの表示機能、パソコンのオーディオ機能等、パソコンが提供できる機能は整合して運用され、更に大きな実行効果を発揮させることが、現在のコンピューター発展の重要な趨勢である。中でも、パソコン機能と家電機能を互いに整合することが、現在の産業研究発展の方向である。しかし、パソコンと家電機能を互いに整合させた後、若干の問題が生じる。
【０００３】
例えば、どうやって、日常使用する家電機能をパソコンに整合し、整合型キーボード等、整合性操作界面を提供するかという問題がある。次に、パソコン起動プログラムにおいて表示される起動情報と相関文字が、パソコンが家電機能を整合する状況下において、冗長で煩雑であり、家電機能と調和させることが出来ない。しかし、パソコンのハードウェア設備を家電機能に調和させて再度設計するのは、膨大なコストがかかり、パソコンを家電機能に整合させる要求に符合しなくなる。
【０００４】
【特許文献１】
米国特許第５，７２４，０６９号
【特許文献２】
米国特許第４，２９６，３３４号
【特許文献３】
台湾公告第３０４２５１号
【０００５】
【発明が解決しようとする課題】
よって、本発明は、パソコンが有するハードウェア設備、作業システム及び応用プログラム間で機能整合を行い、パソコンに現有の機能を維持させる以外に、整合型キーボードなどの、整合性の操作界面により、同時に、家電の機能を提供することを目的とする。また、パソコンのハードウェア設備を一新設計することなく、ユーザーはパソコンが提供する機能を使用することが出来、整合性の操作界面により、家電機能を制御及び享受し、現行技術が突破できない問題を効果的に解決する。
【０００６】
この他、本発明は、スペシャルＢＩＯＳにより、パソコンの起動プログラムにおいて表示される、冗長で煩雑な起動情報と相関文字を改善し、起動プログラムが家電機能と互いに調和できるようにすることをもう一つの目的とする。
【０００７】
【課題を解決するための手段】
上述の目的を達成するため、本発明はパソコンにより家電機能を整合する装置を提供する。装置は、整合性キーボード、コンピューターホスト及びキーボードエンコーダーを備える。
【０００８】
整合型キーボードは、パソコン機能ホットキー及び家電機能ホットキーを備える。パソコン機能ホットキーは、ユーザーが整合性キーボードでキーを押した後、パソコンモードに進入し、パソコン機能を提供するのに用いられる。家電機能ホットキーは、ユーザーが整合性キーボードでキーを押した後、家電モードに進入し、家電機能を提供するのに用いられる。家電機能ホットキーは、特殊設計をキーボード上に付加したキー、或いはキーボード上のあるキーを、家電機能を備えるホットキーとして設定する。
【０００９】
例を挙げると、整合型キーボードはパソコンが家電機能を整合するための特殊設計である。つまり、キーボード上に、日常に必要な家電機能ホットキーを配列し、ＤＶＤ／ＶＣＤ家電機能ホットキー、ＣＤ／ＭＰ３家電機能ホットキー、ＴＶ／ＶＣＲ家電機能ホットキー、ＦＭ家電機能ホットキー等を現有のキーボードに付加する。また、整合型キーボードは、キーボード上のあるキーを、家電機能を備えるホットキーに設定することにより達成される。これにより、キーボード上のキー配列には、特殊設計の家電機能ホットキーはない。あるキーボード上の現有のキーを利用し、ホットキーの設定により、家電機能を備える家電機能ホットキーとする。
【００１０】
コンピューターホストは、スペシャルＢＩＯＳ及び家電応用プログラムを備える。スペシャルＢＩＯＳは、家電モードの下の起動機能を実行するのに用いられる。ユーザーが押すキーがパソコン機能ホットキーである時、コンピューターホストはパソコンモードに進入し、起動プログラムを実行し、一般のパソコンモードと何ら違いない。よって、ユーザーが、コンピューターホストのみで現有のパソコン機能を実行する時、表示や実際に実行する機能の面から見ても、一般のパソコンと何ら変わりない。ユーザーが押したキーが家電機能ホットキーである時、コンピューターホストは家電モードに進入し、起動プログラム、即ちスペシャルＢＩＯＳを実行する。よって、家電機能と調和して、対応する画面或いは文字を表示する。
【００１１】
家電応用プログラムは、キーボードエンコーダーが受信するユーザーが押したキーに従って、家電モード下、ユーザーが押したキーと対応する家電機能を実行する。例えば、ユーザーがＤＶＤ／ＶＣＤ家電機能ホットキーを押す場合、ＤＶＤ／ＶＣＤ家電機能を実行する。ユーザーがＦＭ家電機能ホットキーを押せば、ＦＭ家電機能を実行する。家電応用プログラムは、あらゆるコンピューターが実行できる、Ｃ、Ｃ＋＋等のプログラム言語により完成させることが出来る。上述のように、ユーザーは、現有のパソコン機能に影響を与えない情況下で、家電機能の実行を選択し、たやすく、パソコンを家電機能と整合することができる。
【００１２】
キーボードエンコーダーは、コンピューターホスト及び整合型キーボードに接続される。ユーザーが整合型キーボードでキーを押した後、キーボードエンコーダーは、ユーザーが押したキーと対応するキーコードを生成すると共に、キーコードをコンピューターホストに伝送する。
【００１３】
この他、本発明は、パソコンにより家電機能を整合する方法を提供する。本工程は、先ず、整合型キーボード、コンピューターホスト及びキーボードエンコーダーを提供する。整合型キーボードは、ユーザーにキーを提供する、パソコン機能ホットキー及び家電機能ホットキーを備える。家電機能ホットキーは、特殊設計をキーボード上に付加したキーか、或いは、キーボード上のあるキーを、家電機能を備えるホットキーとして設定する。コンピューターホストは、スペシャルＢＩＯＳ及び家電応用プログラムを備え、パソコン機能及び家電機能を実行する。家電応用プログラムは、あらゆるコンピューターが実行できるプログラム言語により完成することが出来、キーボードエンコーダーが受信するユーザーが押したキーに従って、対応する家電機能を実行する。キーボードエンコーダーは、コンピューターホスト及び整合型キーボードに接続され、整合型キーボードでキーを押した後、ユーザーが押したキーと対応するキーコードを生成するのに用いられる。
【００１４】
続いて、ユーザーは、コンピューターホストがオフ、或いは待機モード下で、整合型キーボード中のホットキーを押し、コンピューターホストを起動させる。キーボードエンコーダーは、ユーザーが整合型キーボードでキーを押した後、対応するキーコードを生成して、キーコードをコンピューターホストに伝送する。
【００１５】
その後、コンピューターホストはキーコードに従って、ホットキーがパソコン機能ホットキーなのか、家電機能ホットキーなのかを判断する。ホットキーがパソコン機能ホットキーである時、コンピューターホストは、パソコンモードに進入すると共に、パソコン機能を実行する。ホットキーが家電機能ホットキーである時、コンピューターホストは、家電モードに進入すると共に、家電応用プログラムをコールして家電機能を実行する。
【００１６】
【発明の実施の形態】
上述した本発明の目的、特徴、及び長所をいっそう明瞭にするため、以下に本発明の好ましい実施の形態を挙げ、図を参照にしながらさらに詳しく説明する。
【００１７】
実施例
図１は本発明の実施例による機能を示す図である。図で示されるように、パソコンにより、家電機能を整合する装置は、整合型キーボード１４、コンピューターホスト１０及びキーボードエンコーダー１２、を備える。
【００１８】
整合型キーボード１４は、パソコン機能ホットキー１４０及び家電機能ホットキーを備え、家電機能ホットキーは、ＤＶＤ／ＶＣＤ家電機能ホットキー１４２、ＣＤ／ＭＰ３家電機能ホットキー１４４、ＴＶ／ＶＣＲ家電機能ホットキー１４６、ＦＭ家電機能ホットキー１４８を備える。パソコン機能ホットキー１４０は、ユーザーがキーを押した後、パソコンモードに進入すると共に、パソコン機能を提供するのに用いられ、家電機能ホットキーは、ユーザーがキーを押した後、家電モードに進入すると共に、家電機能を提供するのに用いられる。家電機能ホットキーは、特殊設計をキーボード上に付加したキーで、キーボード上のあるキーを、家電機能を備えるホットキーとして設定してもよい。
【００１９】
コンピューターホスト１０は、スペシャルＢＩＯＳ１６及び家電応用プログラム１８を備え、スペシャルＢＩＯＳ１６は家電モード下の起動機能を実行するのに用いられる。家電応用プログラム１８は、家電モード下の家電機能を実行するのに用いられる。家電応用プログラム１８は、キーボードエンコーダー１２が受信するユーザーが押したキーに従って、対応する家電機能を実行する。例えば、ユーザーがＤＶＤ／ＶＣＤ家電機能ホットキー１４２を押せば、コンピューターホストは対応する家電応用プログラム１８をコールして、ＤＶＤ／ＶＣＤ家電機能を実行する。同様に、ユーザーがＣＤ／ＭＰ３家電機能ホットキー１４４を押せば、コンピューターホストは、ＣＤ／ＭＰ３家電機能を実行する。ユーザーがＴＶ／ＶＣＲ家電機能ホットキー１４６を押せば、ＴＶ／ＶＣＲ家電機能を実行する。ユーザーがＦＭ家電機能ホットキー１４８を押せば、コンピューターホストは、ＦＭ家電機能を実行する。家電応用プログラムは、あらゆるコンピューターが実行できる、Ｃ、Ｃ＋＋等のプログラム言語により完成させることが出来る。
【００２０】
キーボードエンコーダー１２は、コンピューターホスト１０及び整合型キーボード１４に接続され、ユーザーが整合型キーボード１４中のキーを押した後、ユーザーが押すキーに対応するキーコードを生成するのに用いられる。例えば、ユーザーが整合型キーボード１４で、ＤＶＤ／ＶＣＤ家電機能ホットキー１４２を押した後、キーボードエンコーダー１２はＤＶＤ／ＶＣＤ家電機能ホットキー１４２に対応するキーコードを生成すると共に、キーコードをコンピューターホスト１０に伝送する。
【００２１】
図２は、本発明の具体例によるフローチャートである。図で示されるように、パソコンにより、家電機能を整合する方法は、先ず、整合型キーボード、コンピューターホスト及びキーボードエンコーダーを提供する。整合型キーボードは、パソコン機能ホットキー及び家電機能ホットキーを備え、ユーザーにキーを提供するのに用いられる。家電機能ホットキーは、特殊設計をキーボード上に付加したキーで、キーボード上のあるキーを、家電機能を備えるホットキーとして設定してもよい。コンピューターホストは、スペシャルＢＩＯＳ及び家電応用プログラムを備え、パソコン機能及び家電機能を実行するのに用いられる。家電応用プログラムは、あらゆるコンピューターが実行できる、Ｃ、Ｃ＋＋等のプログラム言語により完成させることが出来、キーボードエンコーダーが受信するユーザーが押したキーに従って、対応する家電機能を実行する。キーボードエンコーダーは、コンピューターホスト及び整合型キーボードに接続され、ユーザーが整合型キーボードでキーを押した後、ユーザーが押したキーに対応するキーコードを生成するのに用いられる。
【００２２】
続いて、ユーザーは、コンピューターホストがオフ、或いは、待機モードの下（工程Ｓ２００）、整合型キーボード中のホットキーを押し（工程Ｓ２０２）、コンピューターホストを起動させる（工程Ｓ２０４）。整合型キーボードはパソコン機能ホットキー及び家電機能ホットキーを備え、パソコン機能ホットキーはパソコン機能を提供し、家電機能ホットキーは家電機能を提供する。ユーザーは整合型キーボードの、どのキーを押してもコンピューターホストを起動させ、コンピューターホストがオフであっても、待機モードであっても、起動状態にする。
【００２３】
キーボードエンコーダーは、ユーザーが整合型キーボードでキーを押した後、対応するキーコードを生成し（工程Ｓ２０６）、キーコードをコンピューターホストに伝送する。例えば、ユーザーが押したのがパソコン機能ホットキーである場合、キーボードエンコーダーはパソコン機能ホットキーのキーコードを生成する。また、もし、ユーザーが押したのが家電機能ホットキーなら、キーボードエンコーダーは家電機能ホットキーのキーコードを生成する。また、もし、ユーザーが押したのが一般のキーボード上のキーなら、キーボードエンコーダーは一般キーのキーコードを生成する。キーボードエンコーダーは、ユーザーが押したキーに対応するキーコードを生成した後、キーコードをコンピューターホストに伝送し、一般キーボード上のキー機能に影響しない。
【００２４】
その後、コンピューターホストは、キーボードエンコーダーにより伝送されたキーコードに従って、ユーザーが押したホットキーがパソコン機能ホットキーなのか、家電機能ホットキーなのかを判断する（工程Ｓ２０８）。ユーザーが押したホットキーがパソコン機能ホットキーである時、コンピューターホストはパソコンモードに進入すると共にパソコン機能を実行する（工程Ｓ２１０）。
【００２５】
ユーザーが押したホットキーが家電機能ホットキーである時、コンピューターホストはスペシャルＢＩＯＳをコールし（工程Ｓ２１２）、家電モードに進入する（工程Ｓ２１４）。その後、ユーザーが押した家電機能ホットキーと対応する家電応用プログラムをコールして、家電機能を実行する（工程Ｓ２１６）。
【００２６】
例を挙げて説明するため、図２を再び参照する。コンピューターホストがオフ或いは待機モードの下（工程Ｓ２００）、ユーザーは整合型キーボード中のＣＤ／ＭＰ３家電機能ホットキーを押し（工程Ｓ２０２）、この時、コンピューターホストを同時に起動させ（工程Ｓ２０４）、コンピューターホストはオフ或いは待機モードから、起動状態になる。
【００２７】
続いて、キーボードエンコーダーはユーザーがキーを押した後、ＣＤ／ＭＰ３家電機能ホットキーに対応するキーコードを生成して（工程Ｓ２０６）、このキーコードをコンピューターホストに伝送する。コンピューターホストはキーボードエンコーダーから伝送されるキーコードに従って、ユーザーが押したホットキーがＣＤ／ＭＰ３家電機能ホットキー、即ち家電機能キーか否かを判断する（工程Ｓ２０８）。
【００２８】
その後、コンピューターホストはスペシャルＢＩＯＳをコールして（工程Ｓ２１２）、起動のプログラムを進行する。同時に、ディスプレイは、ＣＤ／ＭＰ３家電機能ホットキーと相関する起動画面を表示し、その後、家電モードに進入する（工程Ｓ２１４）。コンピューターホストは、ＣＤ／ＭＰ３家電機能ホットキーと対応する家電応用プログラムをコールして、家電機能を実行する（工程Ｓ２１６）。
【００２９】
以上のように、本発明はパソコンにより、家電機能を整合する装置と方法を提供する。パソコンが有するハードウェア設備を利用して、作業システム及び応用プログラムの修正と調和させて、パソコンと家電機能整合の要求を達成し、パソコンに現有の機能を維持させる以外に、整合型キーボードにより、家電功能を制御及び享受することが可能になり、本発明の目的が達成される。
【００３０】
本発明では好ましい実施例を前述の通り開示したが、これらは決して本発明をに限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【００３１】
【発明の効果】整合型キーボードにより、家電功能を制御及び享受することが可能になる。
【図面の簡単な説明】
【図１】本発明の実施例による機能を示す図である。
【図２】本発明の実施例によるフローチャートである。
【符号の説明】
１０…コンピューターホスト
１２…キーボードエンコーダー
１４…整合型キーボード
１６…スペシャルＢＩＯＳ
１８…家電応用プログラム
１４０…パソコン機能ホットキー
１４２…ＤＶＤ／ＶＣＤ家電機能ホットキー
１４４…ＣＤ／ＭＰ３家電機能ホットキー
１４６…ＴＶ／ＶＣＲ家電機能ホットキー
１４８…ＦＭ家電機能ホットキー
【図１】
2004164537.tif 000003
【図２】
2004164537.tif 000004